(57)【要約】【課題】ある検査の医用画像に対する読影結果を入力している際に、他の検査の医用画像に対する読影結果を誤って入力することを防ぐ仕組みを提供すること。【解決手段】レポート入力画面を介して入力された読影結果と、読影対象の医用画像の付帯情報との組み合わせが正しくないと判定された場合に、ユーザにその旨を通知する。【選択図】図６
2016194898.tif 000002
【特許請求の範囲】
【請求項１】
医用画像の読影結果を入力するレポート入力画面を表示する表示制御手段と、
前記表示制御手段で表示制御されたレポート入力画面を介して入力された読影結果と、当該読影の対象の医用画像の付帯情報との組み合わせが正しいか否かを判定する判定手段と、
前記判定手段により組み合わせが正しくないと判定された場合に、ユーザにその旨を通知する通知手段と
を備えることを特徴とするレポート作成システム。
【請求項２】
前記医用画像の付帯情報とは、前記医用画像の被写体である患者の属性情報及び検査内容を含む検査情報であることを特徴とする請求項１に記載のレポート作成システム。
【請求項３】
前記通知手段は、前記医用画像の付帯情報との組み合わせが正しくない読影結果の情報が識別可能となるように前記レポート入力画面を表示させることにより、通知することを特徴とする請求項１または２に記載のレポート作成システム。
【請求項４】
前記医用画像の付帯情報のいずれかに対応づけて単語を記憶する記憶手段を備え、
前記判定手段は、前記レポート入力画面で入力された単語に対応して前記記憶手段に記憶された前記付帯情報と、前記読影の対象の医用画像の付帯情報との組み合わせが正しいか否かを判定することを特徴とする請求項１乃至３のいずれか１項に記載のレポート作成システム。
【請求項５】
前記医用画像の付帯情報のいずれかに対応づけて単語を登録する登録画面を表示する登録画面表示手段を備え、
前記記憶手段は、前記登録画面表示手段で表示された登録画面を介して登録された前記単語を記憶することを特徴とする請求項４に記載のレポート作成システム。
【請求項６】
前記レポート入力画面に入力される読影結果には、キー画像を含み、
前記判定手段は、キー画像で撮影対象となっている人体の部位と、前記医用画像の付帯情報に含まれる人体の部位との組み合わせが正しいか否かを判定することを特徴とする請求項１乃至５のいずれか１項に記載のレポート作成システム。
【請求項７】
前記表示制御手段で表示制御される前記レポート入力画面を介して入力された読影結果を登録する要求を受け付ける登録要求受付手段を備え、
前記判定手段は、前記登録要求受付手段により読影結果を登録する要求を受け付けた際に、正しいか否かの判定することを特徴とする請求項１乃至６のいずれか１項に記載のレポート作成システム。
【請求項８】
前記表示制御手段で表示した前記レポート入力画面を介して読影結果を入力する指示を受け付ける入力指示受付手段と、
を備え、
前記判定手段は、前記入力指示受付手段により前記レポート入力画面を介して読影結果を入力する指示を受け付けることに応じて、正しいか否かを判定することを特徴とする請求項１乃至６のいずれか１項に記載のレポート作成システム。
【請求項９】
医用画像の読影結果を入力するレポート入力画面を表示する表示制御手段を備えるレポート作成システムの制御方法であって、
前記レポート作成システムの判定手段が、前記表示制御手段で表示制御されたレポート入力画面を介して入力された読影結果と、当該読影の対象の医用画像の付帯情報との組み合わせが正しいか否かを判定する判定工程と、
前記レポート作成システムの通知手段が、前記判定工程で組み合わせが正しくないと判定された場合に、ユーザにその旨を通知する通知工程と
を備えることを特徴とするレポート作成システムの制御方法。
【請求項１０】
医用画像の読影結果を入力するレポート入力画面を表示する表示制御手段を備えるレポート作成システムにより読み取り実行されるプログラムであって、
前記レポート作成システムを、
前記表示制御手段で表示制御されたレポート入力画面を介して入力された読影結果と、当該読影の対象の医用画像の付帯情報との組み合わせが正しいか否かを判定する判定手段と、
前記判定手段により組み合わせが正しくないと判定された場合に、ユーザにその旨を通知する通知手段
として機能させることを特徴とするプログラム。
【発明の詳細な説明】
【技術分野】
【０００１】
本発明は、レポート作成システム、レポート作成システムの制御方法、およびプログラムに関し、特に、ある検査の医用画像に対する読影結果を入力している際に、他の検査の医用画像に対する読影結果を誤って入力することを防ぐ仕組みに関する。
【背景技術】
【０００２】
医療の分野では、例えば、ＣＴ（Ｃｏｍｐｕｔｅｄ  Ｔｏｍｏｇｒａｐｈｙ）やＭＲＩ（Ｍａｇｎｅｔｉｃ  Ｒｅｓｏｎａｎｃｅ  Ｉｍａｇｉｎｇ）等といったモダリティ（医用画像生成装置ともいう）で撮影された患者の医用画像のデジタル化が実現されており、医用画像としてサーバに格納して保存されている。
【０００３】
通常、サーバに格納された医用画像は、医用画像を読影することができる専門医（以下、読影医とも称する）によって読影されるが、読影医は人員が不足しているため、近年では、撮影した医用画像を、ネットワークを介して、院外の読影医に依頼して読影を行ってもらう遠隔読影システムが普及している。
【０００４】
このような遠隔読影システムでは、検査の医用画像を表示するビューワと、ビューワに表示された医用画像を読影医が読影し、所見および診断結果（以下、読影結果とも称する）を入力してレポートを作成するためのアプリケーションとが、別々のシステムであることが多い。
【０００５】
そのため、読影医は、所見および診断結果を入力するアプリケーションの画面と、医用画像を表示するビューワの画面とをそれぞれ別々のディスプレイに表示させ、読影医はビューワの画面に表示された医用画像を閲覧しながら、所見および診断結果を入力するアプリケーションの画面上で所見および診断結果を入力している。
【０００６】
ところで、上記のような使い方をする際に、読影医は連続して複数の読影業務を行うことが多いため、既にレポートの作成を終了した過去の検査に利用した医用画像（以下、検査Ａの医用画像と称する）を表示させたまま、新たな医用画像（以下、検査Ｂの医用画像と称する）の読影を開始してしまうことがある。
【０００７】
すると、検査Ｂの医用画像の所見および診断結果をレポートとして作成しているときに、誤って検査Ａの医用画像をビューワ画面に表示させてしまい、検査Ａの医用画像に対する所見および診断結果をレポートとして記入してしまう恐れがある。
【０００８】
上記課題を解決する方法として、特許文献１には、レポートの識別情報と、当該レポートに対して読影医により添付されたキー画像（読影の結果、病変を発見した画像など）の識別情報が一致しているかを判断し、一致しない場合に通知する技術が開示されている。
【先行技術文献】
【特許文献】
【０００９】
【特許文献１】特開２０１２−２４３１０２号公報
【発明の概要】
【発明が解決しようとする課題】
【００１０】
しかしながら、実際に読影医が医用画像を読影する状況においては、読影の結果、異常を発見しなかった場合に、レポートにキー画像を添付しないという運用がとられていることが多い。
【００１１】
そのため、特許文献１に記載の技術を用いたとしても、検査Ａの医用画像に異常がなかった場合には、依然として、検査Ｂの所見および診断結果を入力しているときに、誤って検査Ａの医用画像に対する所見および診断結果を入力してしまう恐れがある。
【００１２】
本発明は、ある検査の医用画像に対する読影結果を入力している際に、他の検査の医用画像に対する読影結果を誤って入力していることをユーザに通知できる仕組みを提供することを目的とする。
【課題を解決するための手段】
【００１３】
本発明は、医用画像の読影結果を入力するレポート入力画面を表示する表示制御手段と、前記表示制御手段で表示制御されたレポート入力画面を介して入力された読影結果と、当該読影の対象の医用画像の付帯情報との組み合わせが正しいか否かを判定する判定手段と、前記判定手段により組み合わせが正しくないと判定された場合に、ユーザにその旨を通知する通知手段とを備えることを特徴とする。
【００１４】
また、本発明は、医用画像の読影結果を入力するレポート入力画面を表示する表示制御手段を備えるレポート作成システムの制御方法であって、前記レポート作成システムの判定手段が、前記表示制御手段で表示制御されたレポート入力画面を介して入力された読影結果と、当該読影の対象の医用画像の付帯情報との組み合わせが正しいか否かを判定する判定工程と、前記レポート作成システムの通知手段が、前記判定工程で組み合わせが正しくないと判定された場合に、ユーザにその旨を通知する通知工程とを備えることを特徴とする。
【００１５】
また、本発明は、医用画像の読影結果を入力するレポート入力画面を表示する表示制御手段を備えるレポート作成システムにより読み取り実行されるプログラムであって、前記レポート作成システムを、前記表示制御手段で表示制御されたレポート入力画面を介して入力された読影結果と、当該読影の対象の医用画像の付帯情報との組み合わせが正しいか否かを判定する判定手段と、前記判定手段により組み合わせが正しくないと判定された場合に、ユーザにその旨を通知する通知手段として機能させることを特徴とする。
【発明の効果】
【００１６】
本発明によると、ある検査の医用画像に対する読影結果を入力している際に、他の検査の医用画像に対する読影結果を誤って入力していることをユーザ（読影医）に通知することができる。
【図面の簡単な説明】
【００１７】
【図１】遠隔読影システムの構成の一例を示すシステム構成図。
【図２】依頼端末１０９、読影端末１１２〜１１４、各サーバ１０１〜１０７、１１６に適用可能な情報処理装置としてのコンピュータのハードウェア構成図。
【図３】ＰＣ３０１に表示される警告ワード登録画面３００の一例を示す図。
【図４】データベース１０８で管理される警告ワードデータベース４００の一例を示す図。
【図５】ＰＣ３０１のディスプレイ２１０に表示されるレポート入力画面５００の一例を示す図。
【図６】ＰＣ３０１のディスプレイ２１０に表示されたレポート入力画面５００の中の所見欄や、診断結果欄に警告ワードが含まれていた場合に、ＰＣ３０１のディスプレイ２１０に表示される画面の一例を示す図。
【図７】データベース１０８で管理されるレポートデータ７００の一例を示す図。
【図８】ＰＣ３０１において、警告ワードを登録するフローチャートの一例を示す図。
【図９】ＰＣ３０１において、読影医がレポート入力画面を介して読影結果を入力するフローチャートの一例を示す図。
【図１０】ＰＣ３０１において、読影医がレポート入力画面を介して読影結果を入力するフローチャートの一例を示す図。
【図１１】ＰＣ３０１において、読影医がレポート入力画面を介して読影結果を入力するフローチャートの一例を示す図。
【図１２】ＰＣ３０１において、読影医がレポートに貼り付けるキー画像の判別を実施するフローチャートの一例を示す図。
【図１３】ＰＣ３０１において、キー画像の特徴量から部位を判定する一例を示す図。
【図１４】ＰＣ３０１のディスプレイ２１０で表示しているレポート入力画面５００上に表示されるエラーメッセージを示す図である。
【発明を実施するための形態】
【００１８】
以下、図面を参照して、本発明の実施形態を詳細に説明する。なお、以下説明する実施形態は、本発明を具体的に実施した場合の一例を示すもので、特許請求の範囲に記載した構成の具体的な実施形態の１つである。
【００１９】
図１は、遠隔読影システム（レポート作成システムともいう）の構成の一例を示すシステム構成図である。
本実施形態に係る遠隔読影システムは、読影を依頼する側である病院等の医療機関（依頼施設）と、依頼された読影依頼を読影医に振り分け、読影医によって入力された読影結果を医療機関に返す読影センターと、医療機関（依頼施設）と読影センターとの仲介を担うデータセンターと、のそれぞれの機関における端末（情報処理装置）により構成されるものである。
【００２０】
それぞれの機関における端末は、インターネットなどのネットワーク１１７に接続されており、該ネットワーク１１７を介して互いにデータ通信を行うことができる（通信可能）。
まず、依頼施設における機器について説明する。
【００２１】
１０９は、読影を依頼する依頼施設の医師が使用する依頼端末である。依頼施設の読影依頼担当者は、依頼端末１０９を用いて、読影依頼情報を入力する。入力された依頼情報は遠隔読影サーバ１０１で処理され、依頼情報はデータベース１０８に保管される。
【００２２】
具体的には依頼情報としては、患者（被写体）の性別、年齢という患者情報や患者に対して行われた検査に関する医用画像を撮影したモダリティの情報やモダリティによる撮影部位といった検査情報（検査内容）、さらに読影依頼を行う対象の読影センターの情報が含まれる。
すなわち、依頼担当者が患者の検査を特定して読影センターに対して、読影依頼を行うことになる。
【００２３】
遠隔読影に用いる画像データは、ＣＴ（Ｃｏｍｐｕｔｅｄ  Ｔｏｍｏｇｒａｐｈｙ）やＭＲＩ（Ｍａｇｎｅｔｉｃ  Ｒｅｓｏｎａｎｃｅ  Ｉｍａｇｉｎｇ）等といったモダリティ１１１で取得され、当該モダリティ１１１から端末機器１１０に送信され、端末機器１１０は、モダリティ１１１から送信されてきた画像データをアーカイブしてから、データセンターの受信サーバ１０７に送信する。
【００２４】
モダリティ１１１から送信されてきた画像データは、受信サーバ１０７が受信し、受信サーバ１０７からストレージ管理サーバ１０５に送られる。
【００２５】
ストレージ管理サーバ１０５は、画像データに対してユニークなＩＤを発行し、画像データを外部記憶装置１１５に保管させる。
【００２６】
次に、読影センターについて説明する。
１１２、１１３は、読影端末であり、依頼施設から読影の依頼を受けた読影センターの読影医は、読影端末１１２、１１３で、配信サーバ１０６を用いて外部記憶装置１１５からダウンロードした読影用の画像を参照し、読影した結果のレポートを、読影端末１１２、１１３上で動作するレポート入力アプリケーション（レポートクライアントとも呼ぶ）を用いて作成する。作成したレポートは、レポートサーバ１０３で処理され、データベース１０８に保管される。また読影医は、読影医の自宅にある読影端末１１４からも、システムを利用することができる。
【００２７】
読影医が作成するレポートには、読影依頼を受けた医用画像に対する読影医の所見、読影医による診断結果、読影する際に重要視した画像（キー画像や、代表画像ともいう）のサムネイル等が含まれる。
なお、図３以降の説明では、依頼端末１０９、読影端末１１２〜１１４をまとめて、ＰＣ３０１と呼ぶ。
【００２８】
本読影システムでは、遠隔読影システムを利用するユーザの指示に従って、依頼端末１０９、読影端末１１２〜１１４からのアクセス要求を受け付けると、ネットワーク１１７を介して、データセンターの認証サーバ１１６によりユーザの認証が行われる。
【００２９】
認証通過後、ポータルサーバ１０２が提供する、読影の状況や、メインメニューを備えたポータル画面が依頼端末１０９、読影端末１１２〜１１４の画面に表示される。
【００３０】
また、読影医は、読影端末１１２〜１１４から、データセンターのＳＮＳ（いわゆるソーシャルネットワーキングサービスのことであり、ユーザ同士がメッセージをやり取りすることが出来るＷＥＢサイトのこと）サーバ１０４にアクセスすることで、レポートを作成する際に、読影端末１１３から他の読影医との意見交換、また、読影センターの事務員に対する依頼などのメッセージのやり取りを行うことができる。
【００３１】
依頼施設において、遠隔読影に用いる画像データ（医用画像データ）は、撮影装置であるモダリティ１１１によって撮影された後、端末機器１１０に送信される。ここでの画像データは例えば、ＤＩＣＯＭ（Ｄｉｇｉｔａｌ  Ｉｍａｇｉｎｇ  ａｎｄ  ＣＯｍｍｕｎｉｃａｔｉｏｎ  ｉｎ  Ｍｅｄｉｃｉｎｅ）形式の画像データが挙げられる。
【００３２】
端末機器１１０は、モダリティ１１１から送信されてきた画像データをアーカイブし、その後、データセンターに配置された受信サーバ１０７に送信する。受信サーバ１０７は、依頼施設から送信されてきた画像データを、ストレージ管理サーバ１０５に送信する。ストレージ管理サーバで１０５は、各画像データに対してユニークなＩＤ（識別情報）を発行し、外部記憶装置１１５に保管する。
【００３３】
依頼施設の読影依頼業務を行う担当者は、依頼端末１０９を用いて読影の依頼時に必要な情報（依頼情報）を入力し、その依頼情報は画像データと共にデータセンターへと送信される。各依頼情報は、データセンター側でデータベース１０８に保管される。なお、本願の実施形態においては、検査の情報を含む依頼情報に対して画像データが紐づけられており、読影医に対して依頼情報が割り当て（振り分け）られると、読影医は依頼情報に対応する画像データを参照し、読影作業を行うことができる。
【００３４】
読影を行う読影医は、読影センターに配置された読影端末１１３（もしくは、自宅に配置された読影端末１１４）を用いて、割り当てられた読影の依頼に対応する読影用の画像データを配信サーバ１０６からダウンロードして参照し、読影を行う。
【００３５】
その際、読影医は、所見および診断結果を入力するアプリケーションの画面と、医用画像を表示するビューワの画面とをそれぞれ別々のディスプレイに表示させ、読影医はビューワの画面に表示された医用画像を閲覧しながら、所見および診断結果を入力するアプリケーションの画面上で所見および診断結果を入力する。
【００３６】
また、読影医に割り当てられた読影の依頼が複数ある場合には、読影端末１１３を用いて、複数の読影の依頼に対応する読影用の複数の画像データをそれぞれ配信サーバ１０６からダウンロードして参照し、順次読影を行う。
【００３７】
その後、読影医は、読影した結果のレポートを、読影端末１１３上で動作するアプリケーション（不図示）を用いて作成する。作成したレポートは、レポートサーバ１０３に送信され、データベース１０８に保管される。なお、ここでは、読影端末として、読影センターおよび読影医の自宅の例を示したが、いずれの場所に配置されてもよく、また、モバイル端末などを用いて参照できるようにしても構わない。
【００３８】
なお、本発明に関係するサーバは、ポータルサーバ１０２、レポートサーバ１０３、およびデータベース１０８である。
【００３９】
なお、本実施形態では、画像を管理するサーバやレポートを管理するサーバなどを別々のサーバとしたが、他の実施形態として、１０１〜１０７、１１６の各サーバが行う処理を１つのサーバで行っても良い。
【００４０】
ここまで、本実施形態に係る遠隔読影システムを説明してきたが、このような遠隔読影システムを、読影医が利用する場合には、以下のような課題が生じることがある。
【００４１】
先述したとおり、読影医に割り当てられた読影の依頼が複数ある場合には、読影端末１１３を用いて、複数の読影の依頼に対応する読影用の複数の画像データをそれぞれ配信サーバ１０６からダウンロードして参照し、順次読影を行うため、既にレポートの作成を終了した過去の検査に利用した医用画像（以下、検査Ａの医用画像と称する）を表示させたまま、新たな医用画像（以下、検査Ｂの医用画像と称する）の読影を開始してしまうことがある。
【００４２】
すると、検査Ｂの医用画像の所見および診断結果をレポートとして作成しているときに、誤って検査Ａの医用画像をビューワ画面に表示させてしまい、検査Ａの医用画像に対する所見および診断結果をレポートとして記入してしまう恐れがある。
【００４３】
そこで、本発明の実施形態では、予め検査情報に紐付けて警告ワードを登録しておき、後述する図５のレポート入力画面で、読影医が所見や診断結果を記入する際に、当該警告ワードが所定の条件において使用された場合に読影医に対して警告表示を行うことで、検査と関係がない医用画像を表示し当該医用画像の読影を行ったことに起因する読影医による読影ミスを事前に防ぐことが可能となる。
【００４４】
次に、図２を用いて、依頼端末１０９、読影端末１１２〜１１４、各サーバ１０１〜１０７、１１６に適用可能な情報処理装置としてのコンピュータのハードウェア構成例について、図２のブロック図を用いて説明する。
なお、図２に示した構成は一例であり、後述する各処理を実現可能な構成であれば、如何なる構成を採用しても構わない。
【００４５】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００４６】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００４７】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示器への表示を制御する。なお、表示器はＣＲＴだけでなく、液晶ディスプレイ等の他の表示器であってもよい。これらは必要に応じて管理者が使用するものである。
【００４８】
２０７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００４９】
２０８は通信Ｉ／Ｆコントローラで、ネットワーク（例えば、図１に示したネットワーク１１７）を介して外部機器と接続・通信するものであり、ネットワークでの通信制御処理を実行する。例えば、ＴＣＰ／ＩＰを用いた通信等が可能である。
【００５０】
なお、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００５１】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
【００５２】
次に、ＰＣ３０１のディスプレイ２１０に表示される各画面（図３、図５、図６）、およびデータベース１０８で管理するデータテーブル（図４、図７）、およびＰＣ３０１のディスプレイ２１０に表示される各画面を表示するフローチャート（図８〜図１０）について説明する。
【００５３】
図３の画面は、後述する図５の画面を介して読影医が入力したレポートに警告ワードが含まれる場合に、その旨を図６の画面に示すように読影医に通知すべく、警告ワードを事務員が登録する画面であり、図３の画面を介して登録された警告ワードは図４のデータテーブルに記憶される。また、図３の警告ワードを登録する処理の流れを示すフローチャートは、図８である。
【００５４】
図５の画面は、読影医が検査の医用画像に対する読影結果を入力するための画面であり、図５の画面に表示される検査情報は、図７のデータテーブルに基づいて表示される。そして、図５の画面を介して読影医が入力した診断結果に警告ワードが含まれる場合に、表示される通知が図６の画面に示す通知である。また、図５の診断結果を入力する処理、および診断結果に警告ワードが含まれる場合に通知する処理の流れを示すフローチャートは、図９、図１０である。
【００５５】
図３は、本発明において、ＰＣ３０１のディスプレイ２１０に表示される警告ワード登録画面３００の一例を示す図であり、遠隔読影システムにログインした、読影センターの事務員（依頼病院からの読影依頼を読影医に振り分ける等、本システムの運営を行うユーザのこと）の操作に従って、ポータルサーバ１０２が提供するポータル画面から警告ワード登録画面３００に遷移し、事務員は警告ワード登録画面３００を介して警告ワードの登録を行う。
【００５６】
ここでいう警告ワードとは、後述する図４に示すように、読影医が現在読影を行っている検査の所見や診断結果を記入する際に、恐らく使われるはずがない単語のことであり、例えば、読影医が現在患者の属性情報が「男性」の患者の医用画像を読影している場合には、女性の場合にしか用いられない「子宮」や、「卵巣」といった単語は、使用されるべき単語ではないため、警告ワードとして登録するべきものであるということができる。
【００５７】
このように、本発明では、予め患者の属性情報や検査の検査内容を含む検査情報（本発明における医用画像の付帯情報）に紐づけて警告ワードを記憶手段に登録させておき、読影医による所見や診断結果をレポート入力画面に記入している際に、当該警告ワードがレポート入力画面に使用されていると判断された場合に、読影医にその旨を通知する仕組みである。
【００５８】
具体的には、患者の属性情報（性別）が「男性」の場合には、男性であれば使われるはずのない単語である「子宮」や「卵巣」が警告ワードとして登録されるべきものであり、検査の検査内容（検査主）が「ＣＴ」の場合には、ＣＴ画像であれば使われるはずのない「高信号」という単語が警告ワードとして登録されるべきものであるといえる。
【００５９】
このような警告ワードが登録されていれば、例えば読影医がＣＴ画像に紐づく読影依頼に対するレポート入力時に、誤ってＭＲ画像をビューワに表示させながら読影業務を行ってしまい、ＭＲ画像の読影時に使用される「高信号」という単語を所見や診断結果の入力欄（レポート入力欄）に記入したとしても、警告が表示されることになるため、検査と関係がない医用画像を表示して読影が行われたことを読影医に通知することができる。
【００６０】
警告ワード登録画面３００に設けられている３０２、３０３、３０６は、例えば事務員が警告ワードや条件等を入力および登録する欄である。単語欄３０６と条件欄３０２は事務員がキーボード等を操作して入力することができる。検査種別３０３は、プルダウンリストになっており、リストの中から事務員が検査情報を選択することができる。このようなプルダウンで選択できる項目は、データベース１０８で予め管理しておくことができ、警告ワード登録画面３００とともに、ポータルサーバ１０２からＰＣ３０１に送信され、プルダウンリストとして表示される。
【００６１】
事務員が単語を警告ワードとして患者の属性情報や検査の検査内容からなる検査情報に紐づけて登録する作業は、まず検査種別３０３で検査種別を選択し、条件欄３０２に検査種別の条件を設定することで、患者の属性情報や検査の検査内容からなる検査情報を特定する。そして、このように検査情報を特定した状態で単語欄３０６（先述した警告ワードに対応する）に単語が入力され、事務員のマウス等の操作等により登録ボタン３０５が押下されることで、３０２、３０３、３０６の情報がデータベース１０８で管理される警告ワードデータベース（図４）に記憶され、当該単語が条件欄３０２に入力された検査情報における警告ワードとして登録されことになる。
【００６２】
さらに具体的な例で言うと、例えば、検査種別３０３から患者の属性情報として「性別」を選択し、条件欄３０２に「男性」と入力し、「単語名」として単語欄３０６に「子宮」と入力して、事務員が登録ボタン３０５を押下して登録されていたとすると、患者の属性情報である性別が男性の場合に、所見や診断結果としてレポート入力画面に読影医が「子宮」と入力すると、警告表示がなされ、読影医に通知されることになる。
【００６３】
なお、本実施形態における、検査情報とは、患者個人を特定する情報を示す属性情報（例えば、患者の性別や年齢等）と、検査の内容（医用画像を撮影したモダリティの種類を示す検査種や、医用画像が示す体の部位など）とを、少なくとも含む情報のことである。
【００６４】
また、警告ワード登録画面３００には、すでに登録済みの警告ワード３０４も表示される。当該登録済みの警告ワード３０４は、データベース１０８で管理される警告ワードデータベース（後述する図４）に記憶されており、警告ワード登録画面３００とともに、ポータルサーバ１０２からＰＣ３０１に送信されることで、警告ワード登録画面上に表示されることになる。
【００６５】
以上で、図３の説明を終了する。
【００６６】
なお、本実施形態では、読影センターの事務員が警告ワードを登録する例を用いて説明したが、他の実施形態として、依頼施設の読影依頼担当者や、読影医が警告ワードを登録しても良い。なお、読影医が警告ワードを登録する場合には、当該警告ワードは読影医に紐づく警告ワードデータベースとして管理し、登録した読影医が入力しているレポートに対して警告する際に用いられるようにしてもよい。
【００６７】
また、依頼施設の読影依頼担当者が警告ワードを登録する場合に、当該警告ワードは、読影センターの事務員により承認するという処理を行った後に、図４の警告ワードデータベースに登録されるようにしてもよい。
次に図４を用いて、図３で事務員により登録された警告ワードを管理するデータベースについて説明する。
【００６８】
図４は、データベース１０８で管理される警告ワードデータベース４００の一例を示す図であり、本発明における、医用画像の付帯情報のいずれかに対応づけて単語を記憶する記憶手段の一例である。
【００６９】
警告ワードデータベース４００は、ＰＣ３０１のディスプレイ２１０に表示される図３の画面を介して読影センターの事務員により登録された警告ワードを管理する。
【００７０】
４０１は、図３の３０１で入力された情報に対応し、４０２は、図３の３０２で入力された情報に対応し、４０３は、図３の３０３で選択された情報にそれぞれ対応する。
【００７１】
なお、図４の例から分かるように、図３の登録済みの警告ワード３０４として挙げた例以外にも、単語４０１として「添付」、条件として「添付画像がない」と登録させておくことで、読影医により作成される読影結果をまとめたレポート中の、所見や診断結果を記入する際に使用した医用画像を添付する欄に添付画像がないにもかかわらず、所見や診断結果に「添付」と入力されている場合に警告させることも可能である。
【００７２】
さらに、図４には図示していないが、レポート中の所見を記入する欄として「ですます調推奨」と登録されているにもかかわらず、所見や診断結果に「である」と入力されている場合に警告させることも可能である。
以上で図４の説明を終了する。
【００７３】
次に、図５を用いて、読影医が所見や診断結果を入力するＰＣ３０１のディスプレイ２１０に表示されるレポート入力画面について説明する。
【００７４】
図５は、本発明において、ＰＣ３０１のディスプレイ２１０に表示されるレポート入力画面５００の一例を示す図である。
【００７５】
読影医は、図５のレポート入力画面５００を介して、当該読影医に対して読影の依頼があった検査の医用画像に対する読影結果を入力する。
【００７６】
領域５０１の枠内の情報は、読影の依頼があった検査の対象となっている患者の属性情報および検査内容等の検査情報を示す領域である。なお、領域５０１の枠内の一番左のアイコンは性別を表し、レポート入力画面５００のアイコンの場合、男性であることを示す。
【００７７】
詳細検査内容５０２は、領域５０１に含まれる検査内容のより詳細な情報を示す。
【００７８】
所見５０３は、読影医が医用画像を診断した際の所見を入力する欄である。
【００７９】
診断結果５０４は、所見５０３に基づいた診断結果を読影医が入力する欄である。
【００８０】
キー画像添付欄５０５は、医用画像の中で、診断結果を入力する際に使用した画像（以下、キー画像と呼ぶ）を読影医が添付する欄である。
【００８１】
読影医により保存ボタン５０６が押下されると、それまで入力された所見５０３や、診断結果５０４がデータベース１０８に送信され、データベース１０８に一時的に保存される。すなわち、保存ボタン５０６を押下しておくことにより仮の所見５０３や診断結果５０４として保存しておくことができ、再度読影医による所見や診断結果の入力が行えるようになる。
【００８２】
また。読影医により確定ボタン５０７が押下されると、それまで入力された所見５０３や、診断結果５０４が最終読影結果としてデータベース１０８に送信され、データベース１０８に保存されるとともに、データセンターを経由して、依頼施設に送信される。そしてこのとき、所見５０３や、診断結果５０４に警告ワードが含まれているかどうかの判断を行い、警告ワードが含まれていると判断された場合に、当該所見５０３や、診断結果５０４をデータベース１０８に送信することなく、図６の読影医に対する不適切な単語が記入されている可能性があることを通知する画面表示に遷移する。
以上で、図５の説明を終了する。
【００８３】
次に、図６を用いて、読影医により確定ボタン５０７が押下されたときに、所見５０３や、診断結果５０４に警告ワードが含まれていた場合にＰＣ３０１のディスプレイ２１０に表示される画面について説明する。
【００８４】
図６は、本発明において、ＰＣ３０１のディスプレイ２１０に表示された図５の画面において、読影医により確定ボタン５０７が押下されたときに警告ワードが含まれているかどうかの判断が行われ、図４に示す警告ワードが所見５０３や、診断結果５０４に含まれていた場合にＰＣ３０１のディスプレイ２１０に表示される画面の一例を示す図である。
【００８５】
本実施形態では、所見５０３や診断結果５０４に警告ワードが含まれる場合に、当該警告ワードと、当該警告ワードに対応する患者の属性情報または検査の検査内容等の検査情報とを、それぞれ枠で囲み、さらに、警告ワードが含まれる旨の警告表示のポップアップを表示することにより、所見５０３や診断結果５０４に警告ワードが存在することを読影医に通知する。
【００８６】
なお、通知の方法は、所見５０３や診断結果５０４に警告ワードが含まれることを読影医が認識可能（識別可能）であれば良く、警告ワードを点滅させたり、警告ワードの色を変えたりしても良いし、枠で囲むことなく警告表示を行う方法や、警告表示を行うことなく枠で囲むという方法を用いてもよい。
【００８７】
図６の例では、領域５０１に含まれる検査内容のうち、検査種がＣＴ（６０１）であるにも関わらず、ＭＲで用いられるＴ１強調（６０２）や、高信号（６０３）という警告ワードが所見５０３に使用されているため、６０１〜６０３を枠で囲むことにより強調表示している。
【００８８】
更に、図６の例では、領域５０１の検査内容のうち、部位が胸腹部（６０４）であるにも関わらず、所見５０３や診断結果５０４に、頭部（６０５、６０６）という警告ワードが使用されているため、６０４〜６０６を枠で囲むことにより強調表示している。
【００８９】
さらに領域６０７に示すように、所見５０３もしくは診断結果５０４に、警告ワードが含まれている場合に、読影医にその旨を通知し、さらに、所見及び診断結果をすべて削除するかを読影医に問うポップアップを表示させることもできる。
【００９０】
このように、領域６０７にポップアップ表示を行い、所見及び診断結果をすべて削除するかを問う理由としては、警告ワードが含まれているような場合には、そもそも医師が読影している検査とは関係のない医用画像に対する所見及び診断結果を入力している場合であることが多いため、文書の一部を修正するのではなく、文書をすべて削除すると考えられ、一括で削除できるように設けることで、簡便にレポートの再入力を行えるようにすることができるためである。
【００９１】
「はい」ボタン６０８が読影医により押下されると、所見５０３もしくは診断結果５０４に入力された文書が削除される。
【００９２】
「いいえ」ボタン６０９が読影医により押下されると、所見５０３もしくは診断結果５０４に入力された文書は削除されない。そのため、所見または診断結果の一部を修正したい場合には、読影医は、「いいえ」ボタン６０９を選択し、キーボード等を利用して手動で所見または診断結果の修正した部分を修正することになる。
【００９３】
このように、所見または診断結果に警告ワードが含まれる場合に読影医に通知することにより、レポートに含まれる検査の情報と関係がない検査の医用画像に対する所見および診断結果をレポートに入力してしまう可能性を低減することができる。
以上で、図６の説明を終了する。
【００９４】
次に、図７を用いて、データベース１０８で管理されるレポートデータについて説明する。
【００９５】
図７は、データベース１０８で管理されるレポートデータ７００の一例を示す図である。
レポートデータ７００は、依頼施設から読影依頼が読影センターに届いたときに、読影センターで読影医に読影依頼を割り当てることにより作成される。
【００９６】
レポートデータ７００には、レポートを識別する情報である「レポートＩＤ」７０１、読影の依頼を行った依頼施設の名前を示す「依頼施設名」７０２、読影の依頼を識別する「依頼Ｎｏ」７０３、読影の依頼の対象である患者を示す「患者名」７０４、現在の読影のステータスを示す「ステータス」７０５、依頼に紐付けされている検査画像（１枚から複数毎）を示す「７０７」、そして読影依頼（検査）の読影を担当する読影医を示す「担当読影医」７０６が紐付けて記憶される。
以上で、図７の説明を終了する。
【００９７】
次に、図８を用いて、読影医や事務員の指示に従って警告ワードを登録する処理について説明する。
【００９８】
図８は、本発明において、ＰＣ３０１において、警告ワードを登録するフローチャートの一例を示す図である。
【００９９】
図８に示すフローチャートに示す各ステップの処理は、ＰＣ３０１、またはポータルサーバ１０２のＣＰＵ２０１が外部メモリ２１１に格納されるプログラムをＲＡＭ２０３にロードして実行することにより実現される。なお、フローチャート中の「Ｓ８０〜」の「Ｓ」とはステップのことである。
【０１００】
Ｓ８０１においてＰＣ３０１は、事務員のマウス等の操作に従って、当該ＰＣ３０１にインストールされているブラウザを起動し、ディスプレイ２１０に表示する。
【０１０１】
Ｓ８０２においてＰＣ３０１は、遠隔読影システムのトップ画面の取得要求をポータルサーバ１０２に対して行う。
【０１０２】
なお、Ｓ８０２の処理を実行する前に、ＰＣ３０１に表示される遠隔読影システムのログイン画面を介して、当該遠隔読影システムにログインするための情報（ユーザＩＤやパスワード等）の入力を読影センターの事務員から受け付け、その情報を用いて遠隔読影システムへのログイン処理を行っているものとする。
【０１０３】
Ｓ８０３においてポータルサーバ１０２は、トップ画面を生成してＰＣ３０１へ送信する。
【０１０４】
Ｓ８０４においてＰＣ３０１は、ポータルサーバ１０２から受信したトップ画面をブラウザに表示する。
【０１０５】
Ｓ８０５においてＰＣ３０１は、ブラウザに表示された画面に対して、ユーザによるマウス等の操作を受け付けたかを判定する。ユーザ操作による操作を受け付けたならばＳ８０６へ進み、受け付けなければそのまま待機する。なお、ここでブラウザに表示される画面とは、ステップＳ８０４からステップＳ８０５に移行した場合には、ステップＳ８０４で表示したトップ画面であり、ステップＳ８１１からステップＳ８０５に移行した場合には、警告ワード登録画面（例えば、図３）である。
【０１０６】
Ｓ８０６においてＰＣ３０１は、Ｓ８０５でユーザから受け付けた操作内容をポータルサーバ１０２に送信する。
【０１０７】
Ｓ８０７において、ポータルサーバ１０２は、Ｓ８０６でＰＣ３０１から送信された操作内容が、警告ワード登録画面取得要求かを判定する。警告ワード登録画面取得要求であればＳ８０８に進み、そうでなければＳ８１２へ進む。
【０１０８】
Ｓ８０８において、ポータルサーバ１０２は、ポータルサーバ１０２の外部メモリ２１１に登録されている警告データテーブル（例えば、図４）に、すでに登録済みの警告ワードがあるかを判定する。警告データテーブルに登録済み警告ワードがあれば、Ｓ８０９へ進み、なければＳ８１０に進む。
【０１０９】
Ｓ８０９において、ポータルサーバ１０２は、警告ワードテーブルに登録されている警告ワード（例えば、図３の３０４）を警告ワード登録画面に付加する。
【０１１０】
Ｓ８１０において、ポータルサーバ１０２は、警告ワード登録画面（例えば、図３）を生成して、ＰＣ３０１へ送信する。
【０１１１】
Ｓ８１１において、ＰＣ３０１は、警告ワード登録画面を受信し、ＰＣ３０１のブラウザに表示する。
【０１１２】
ステップS８１１は、本発明における医用画像の付帯情報のいずれかに対応づけて単語を登録する登録画面を表示する登録画面表示手段の一例である。
【０１１３】
Ｓ８１２においてポータルサーバ１０２は、Ｓ８０６でＰＣ３０１から送信された操作内容が、警告ワード登録要求かを判定する。警告ワード登録要求であれば、Ｓ８１３へ進み、そうでなければＳ８１５へ進む。ここでいう、警告ワード登録要求とは、例えば、図３の３０１〜３０３が事務員によるキーボード等による操作により入力された後に、３０５の登録ボタンが事務員によるマウス等による操作により押下される操作である。
【０１１４】
Ｓ８１３においてポータルサーバ１０２は、警告ワード登録画面を介して事務員により入力された警告ワードを警告データテーブル（例えば、図４）に登録する。
【０１１５】
Ｓ８１４においてポータルサーバ１０２は、Ｓ８１３で登録した警告ワードを、警告ワード登録画面のすでに登録済みの警告ワードの欄（例えば、図３の３０４）に表示した警告ワード登録画面を再生成して、ＰＣ３０１へ送信する。
【０１１６】
Ｓ８１５においてポータルサーバ１０２は、終了指示をＰＣ３０１へ送信し、Ｓ８１６においてＰＣ３０１は、ブラウザを終了する。
【０１１７】
図９は、本発明において、ＰＣ３０１において、レポート入力画面を介して読影医が読影結果を入力するフローチャートの一例を示す図である。
【０１１８】
図９、および図９のサブフローである図１０のフローチャートに示す各ステップの処理は、ＰＣ３０１、またはレポートサーバ１０３のＣＰＵ２０１が外部メモリ２１１に格納されるプログラムをＲＡＭ２０３にロードして実行することにより実現される。
【０１１９】
なお、図９の処理を実行する前に、ＰＣ３０１において、遠隔読影システムにログインするための情報（ユーザＩＤやパスワード等）の入力を読影医から受け付け、その情報を用いてログイン処理を行っているものとする。
【０１２０】
Ｓ９０１においてＰＣ３０１は、遠隔読影システムと連携するレポート入力システムを起動する。なお、このとき遠隔読影システムにログインするための情報（ユーザＩＤやパスワード等）を用いてレポート入力システムにもログインしているものとする。
【０１２１】
Ｓ９０２においてＰＣ３０１は、レポート入力システムへログインしている読影医に割当てられているレポートと、警告ワードの取得要求をレポートサーバ１０３へ送信する。
【０１２２】
Ｓ９０３においてレポートサーバ１０３は、レポート入力システムへログインしている読影医に割当てられているレポートと、警告ワードの取得要求をＰＣ３０１から受信する。
【０１２３】
Ｓ９０４においてレポートサーバ１０３は、レポート入力システムへログインしている読影医に割当てられているレポートを、レポートデータ７００（図７）の担当読影医７０６の欄がレポート入力システムへログインしている読影医となっているレポートを特定することで取得し、警告ワード（条件や検査情報を含む）については、警告ワードデータベース４００（図４）から取得し、ＰＣ３０１へ送信する。
【０１２４】
なお、Ｓ９０４でレポートサーバ１０３からＰＣ３０１に送信されるレポートとは、患者の情報や検査の内容が予め入力されたレポート入力画面の情報である。
【０１２５】
Ｓ９０５においてＰＣ３０１は、レポート入力システムへログインしている読影医に割当てられているレポートと、警告ワードを受信し、ＰＣ３０１の外部メモリ２１１に記憶する。
【０１２６】
Ｓ９０６においてＰＣ３０１は、Ｓ９０５で受信した情報を基にレポートの一覧画面（ワークリスト）をＰＣ３０１のディスプレイ２１０に表示する。
【０１２７】
Ｓ９０７においてＰＣ３０１は、ＰＣ３０１に表示された画面を介して、読影医による操作を受け付けたかを判定する。読影医による操作を受け付けたならば、Ｓ９０８へ進み、受け付けなければ、そのまま待機する。
【０１２８】
なお、ここでＰＣ３０１に表示される画面とは、Ｓ９０６からＳ９０７に移行した場合には、Ｓ９０６で表示したレポートの一覧画面（不図示）であり、Ｓ９０９、Ｓ９１１、Ｓ９１３からＳ９０７に移行した場合には、レポート入力画面（例えば、図５）である。
【０１２９】
S９０９は、本発明における、医用画像の読影結果を入力するレポート入力画面を表示する表示制御手段の一例である。
【０１３０】
Ｓ９０８においてＰＣ３０１は、Ｓ９０７で読影医から受け付けた操作内容がレポートの一覧画面から、これから読影結果の入力を行うレポートを選択する操作かを判定する。レポートを選択する操作であればＳ９０９へ進み、そうでなければＳ９１０へ進む。
【０１３１】
Ｓ９０９においてＰＣ３０１は、レポートの一覧画面から読影医により選択されたレポートのレポート入力画面を表示する。
【０１３２】
Ｓ９１０においてＰＣ３０１は、Ｓ９０７で受け付けた操作内容が、レポートの確定操作かを判定する。レポートの確定操作（例えば、図５の５０７）であれば、Ｓ９１１へ進み、そうでなければ、Ｓ９１２へ進む。
【０１３３】
S９１０は、本発明における記表示制御手段で表示制御される前記レポート入力画面を介して入力された読影結果を登録する要求を受け付ける登録要求受付手段の一例である。
【０１３４】
Ｓ９１１においてＰＣ３０１は、レポートの確定処理を実施する。Ｓ９１１の処理の詳細は、図１０を用いて説明する。
【０１３５】
Ｓ９１２においてＰＣ３０１は、Ｓ９０７で読影医から受け付けた操作の内容が終了指示かを判定する。終了指示であればＳ９１４へ進み、そうでなければＳ９１３へ進む。
【０１３６】
Ｓ９１３においてＰＣ３０１はレポートへの診断結果の入力指示の受け付け、レポートの検索、各種設定などの処理を実施する。
【０１３７】
Ｓ９１４においてＰＣ３０１は、レポートシステムを終了する。
以上で、図９の説明を終了する。
次に図１０を用いて、Ｓ９１１の処理の詳細について説明する。
【０１３８】
図１０は、本発明において、ＰＣ３０１において、読影医が図５のレポート入力画面５００を介して読影結果を入力するフローチャートの一例であり、図９のＳ９１１のレポートの確定処理の詳細を示す図である。
【０１３９】
Ｓ１００１においてＰＣ３０１は、レポート入力画面５００の所見を入力する欄（例えば図５の５０３）、や診断結果欄を入力する欄（例えば図５の５０４）に対して読影医から入力された文書に、警告ワードが含まれていないかを検索する。
【０１４０】
Ｓ１００２においてＰＣ３０１は、レポート入力画面５００の所見を入力する欄や診断結果欄を入力する欄に対して読影医から入力された文書に、警告ワードが含まれていたかを判定する。警告ワードが含まれていれば、Ｓ１００３に進み、含まれていなければＳ１００６に進む。
【０１４１】
S１００２は、本発明における、表示制御手段で表示制御されたレポート入力画面を介して入力された読影結果と、当該読影対象の医用画像の付帯情報との組み合わせが正しいか否かを判定する判定手段の一例である。
【０１４２】
Ｓ１００３においてＰＣ３０１は、警告ポップアップ（例えば図６の６０７）を表示すると共に、レポート入力画面の所見を入力する欄や診断結果を入力する欄に含まれる警告ワードを強調表示（例えば、図６の６０１〜６０６）する。
【０１４３】
Ｓ１００３は、本発明における、判定手段により組み合わせが正しくないと判定された場合に、ユーザにその旨を通知する通知手段の一例である。
【０１４４】
Ｓ１００１〜Ｓ１００３におけるＰＣ３０１の処理をより具体的に説明すると、まず、ＰＣ３０１にＰＣ３０１の外部メモリ２１１に記憶した警告ワード（例えば、図４の４０１）が、レポート入力画面の所見を入力する欄（例えば図５の５０３）、や診断結果欄を入力する欄（例えば図５の５０４）に含まれるかを検索する。
【０１４５】
次に、ＰＣ３０１にＰＣ３０１の外部メモリ２１１に記憶した警告ワードが、レポート入力画面の所見を入力する欄や診断結果欄を入力する欄に含まれる場合に、当該警告ワードに対応する検査情報（例えば、図４の４０３）を参照し、当該検査情報が当該警告ワードに対応する患者の属性情報または検査の検査内容（例えば図４の４０２）であるかを判断する。
【０１４６】
そして、警告ワードに対応する検査情報が、当該警告ワードに対応する条件である場合に、図６で示すように警告ポップアップを表示すると共に、レポート入力画面５００の所見を入力する欄や診断結果を入力する欄に含まれる警告ワードを強調表示する。
【０１４７】
Ｓ１００４においてＰＣ３０１は、読影結果の削除要求を受け付けたかを判定する。所見の削除要求を受け付けたならばＳ１００５へ進み、受け付けなければ図１０の処理を終了し、Ｓ９０７へ進む。
【０１４８】
Ｓ１００５においてＰＣ３０１は、読影医により入力された読影結果をすべて削除する。
【０１４９】
Ｓ１００６においてＰＣ３０１は、読影医により入力された読影結果を含むレポートの登録要求をレポートサーバ１０３へ送信する。
【０１５０】
Ｓ１００７において、レポートサーバ１０３は、Ｓ１００６でＰＣ３０１から送信された読影結果を含むレポートの登録要求を受信して、レポートデータ７００（図７）に登録する。
【０１５１】
なお、本実施形態では、レポートの確定操作（例えば、図５の５０７）が読影医によりなされた場合に、図１０のＳ１００１〜Ｓ１００５の処理を実行するとしたが、他の実施形態として、読影医により、所見や診断結果の入力が開始された時点からレポートの確定操作がされるまでの間、Ｓ１００１〜Ｓ１００５までの処理をリアルタイムに実行しても良い（つまり、力指示受付手段により前記レポート入力画面を介して読影結果を入力する指示を受け付けることに応じて正しいか否かを判定してもよい）。
【０１５２】
ただし、その場合でもＳ１００６およびＳ１００７の処理は、読影医によりレポートの確定操作（例えば、図５の５０７）がされたタイミングとする。
【０１５３】
読影医によって、所見や診断結果の入力が開始された時点からレポートの確定操作がされるまでの間、Ｓ１００１〜Ｓ１００５までの処理をリアルタイムに実行することにより、読影医に他の検査の医用画像に対する読影結果を誤って入力していることを早期に通知することが可能となる。
【０１５４】
また、本実施例では、図１０のＳ１００１、Ｓ１００２の処理をＰＣ３０１で行うとしたが、他の実施例として、Ｓ１００１、Ｓ１００２の処理をレポートサーバ１０３が行っても良い。
【０１５５】
その場合、図９のＳ９１０でレポートの確定操作と判断されると、ＰＣ３０１は、レポート入力画面５００の所見を入力する欄や診断結果欄を入力する欄に対して読影医から入力された文書をレポートサーバ１０３に送信し、レポートサーバ１０３がＳ１００１、Ｓ１００２の処理を実行する。
【０１５６】
そして、Ｓ１００２の結果、警告ワードが含まれていると判定された場合に、警告ポップアップ（例えば図６の６０７）を表示し、かつ、レポート入力画面５００の所見を入力する欄や診断結果を入力する欄に含まれる警告ワードを強調表示（例えば、図６の６０１〜６０６）したレポート入力画面５００をレポートサーバ１０３が生成し、ＰＣ３０１に送信する。
【０１５７】
以上で図１０の説明を終了する。
【０１５８】
次に図１１を用いて、本発明における、ＰＣ３０１のディスプレイ２１０に表示される図５のレポート入力画面５００を介して読影医が読影結果を入力するフローチャートの第２の実施形態について説明する。
【０１５９】
図１１は、本発明における、ＰＣ３０１のディスプレイ２１０に表示される図５のレポート入力画面５００を介して読影医が読影結果を入力するフローチャートの一例を示す図である。
【０１６０】
図１１のフローチャートでは、図９と異なりＳ１１０７（図９のＳ９０７に相当）でユーザから受け付けた操作がキー画像を貼り付ける操作であるか否かを判定する処理（後述するＳ１１１２）が含まれている。
【０１６１】
図１１および図１１のサブフローである図１２のフローチャートに示す各ステップの処理は、ＰＣ３０１、またはレポートサーバ１０３のＣＰＵ２０１が外部メモリ２１１に格納されるプログラムをＲＡＭ２０３にロードして実行することにより実現される。
【０１６２】
図１１のＳ１１０１〜Ｓ１１１１までの各ステップの処理は、図９のＳ９０１〜Ｓ９１１までの各ステップの処理と同様であるため説明は省略する。
【０１６３】
Ｓ１１１２において、ＰＣ３０１は、Ｓ１１０７で読影医から受け付けた操作内容がレポート入力画面５００に、読影の際に用いたキー画像（本発明における読影結果）を貼り付ける操作かを判定する。キー画像を貼り付ける操作であればＳ１１１３へ進み、そうでなければＳ１１１４へ進む。
【０１６４】
Ｓ１１１２におけるキー画像を貼り付ける指示とは、例えば、図５のレポート入力画面５００のキー画像添付欄５０５に、読影医がビューワの画面に表示した画像を添付する操作である。
【０１６５】
Ｓ１１１３において、ＰＣ３０１は、レポート入力画面５００にキー画像を貼り付ける操作を実行する。Ｓ１１１３の処理の詳細については、後述する図１２で説明する。
【０１６６】
ステップＳ１１１４〜ステップＳ１１１６までの各ステップの処理は、図９のＳ９１２〜ステップＳ９１４までの各ステップの処理と同様であるため説明は省略する。
【０１６７】
以上で図１１の説明を終了する。次に、図１２を用いて、図１１のＳ１１１３の処理の詳細について説明する。
【０１６８】
図１２は、本発明において、Ｓ１１１３の詳細を説明するフローチャートの一例を示す図である。
【０１６９】
Ｓ１２０１において、Ｓ１１１３から図５のレポート入力画面５００中のキー画像添付欄５０５にキー画像を貼り付ける前に、キー画像の特徴量をもとに、当該キー画像で撮影されている患者の部位を特定する。
【０１７０】
本実施例において、キー画像のＤＩＣＯＭ情報を利用していない理由は、ビューワの画面に表示された医用画像の中からキー画像を決定してレポートに添付する場合、一度キー画像のデータを、クリップボードにコピーしてから添付することが行われるが、その際、画像だけがコピーされるため、ＤＩＣＯＭ情報はコピーされないからである。
【０１７１】
従って、キー画像のＤＩＣＯＭ情報から部位を特定し、特定した部位と、レポート入力画面５００中の領域５０１の部位が同じかどうかを判定するということを行っている。
【０１７２】
Ｓ１２０２において、Ｓ１２０１の特定の結果得られる部位を、当該キー画像で撮影している患者の部位として決定し、決定した部位の情報をＰＣ３０１の外部メモリ２１１に記憶し、レポート入力画面５００で利用できるように準備する。
【０１７３】
Ｓ１２０３において、Ｓ１２０２で決定した部位とレポート入力画面５００中の領域５０１の部位が同じかどうかを判定する。同じ部位であれば、ＰＣ３０１はＳ１２０４に処理を移行し、そうでないなら、ＰＣ３０１はＳ１２０５に処理を移行する。
【０１７４】
Ｓ１２０３は、本発明における、キー画像で撮影対象となっている人体の部位と、前記医用画像の付帯情報に含まれる人体の部位との組み合わせが正しいか否かを判定する判定手段の一例である。
【０１７５】
Ｓ１２０４において、ＰＣ３０１は、レポート入力画面５００中のキー画像添付欄５０５にキー画像を貼り付け、Ｓ１１１３へ処理を移行する。
【０１７６】
Ｓ１２０５において、ステップＳ１２０３における判定結果が違う部位であったことを読影医へ通知するためにエラーメッセージをＰＣ３０１で表示しているレポート入力画面５００上に表示する。
【０１７７】
ステップＳ１２０５において、ＰＣ３０１で表示しているレポート入力画面５００上に表示されるエラーメッセージとは、例えば、図１４の１４０１に示すエラーメッセージである。
【０１７８】
ここで、ステップＳ１２０５においてＰＣ３０１のディスプレイ２１０で表示しているレポート入力画面５００上に表示されるエラーメッセージについて、図１４を用いて説明する。
【０１７９】
図１４は、ステップＳ１２０５においてＰＣ３０１のディスプレイ２１０で表示しているレポート入力画面５００上に表示されるエラーメッセージを示す図である。
【０１８０】
図１４の１４０１は、エラーメッセージを示す。エラーメッセージ１４０１には、Ｓ１２０２で決定した部位とレポート入力画面５００中の領域５０１の部位が異なる旨のメッセージと、キー画像として貼り付けられた画像（１４０２）と、エラーメッセージを無視してそのままキー画像を貼り付ける指示を受け付けるための貼り付けボタン１４０３と、キー画像を削除する指示を受け付けるための削除ボタン１４０４が含まれる。
【０１８１】
貼り付けボタン１４０３が読影医により押下される場合とは、Ｓ１２０１においてＰＣ３０１が行ったキー画像で撮影されている患者の部位を特定する処理の結果が誤っている場合、つまりキー画像で撮影している患者の部位と、レポート入力画面５００中の領域５０１の部位とが一致している場合である。以上で図１４の説明を終了し、図１２の説明に戻る。
【０１８２】
Ｓ１２０６において、結果修正指示を読影医から受け付けたかを判定する。結果修正指示を読影医から受け付けたならば、ＰＣ３０１は、ステップＳ１２０４に処理を移行し、結果修正指示を読影医から受け付けなければ、ＰＣ３０１は、ステップＳ１２０７に処理を移行する。
【０１８３】
Ｓ１２０６において、結果修正指示を読影医から受け付けたと判定される場合とは、図１４の貼り付けボタン１４０３を押下する操作を読影医から受け付けた場合であり、Ｓ１２０６において、結果修正指示を読影医から受け付けていないと判定される場合とは、削除ボタン１４０４を押下する操作を読影医から受け付けた場合である。
【０１８４】
Ｓ１２０７において、ＰＣ３０１は、読影医が貼り付け指示を行ったキー画像を削除し、Ｓ１１１３に処理を移行する。以上で、図１２の説明を終了する。
【０１８５】
図１３は、本発明のＳ１２０１における、Ｓ１１１３から図５のレポート入力画面５００中のキー画像添付欄５０５にキー画像を貼り付ける前に、キー画像の特徴量をもとに、当該キー画像で撮影されている患者の部位を特定する処理のイメージを示す図である。
【０１８６】
１３００は、ＰＣ３０１の外部メモリ２１１にあらかじめ記憶される人体の各部位のサンプル画像を示す。
【０１８７】
ＰＣ３０１は、サンプル画像１３００と、レポートサーバ１０３から配信されＰＣ３０１の外部メモリ２１１に記憶したレポートデータ７００（図７）の検査画像７０７に記憶している画像であって、Ｓ１１０７において読影医が貼り付け指示を行ったキー画像の特徴量を比較して、一番近い画像を探して部位を決定する。
【０１８８】
特徴の判定方法の一例としては、各部位ごとのサンプル画像１３００と、Ｓ１１０７において読影医が貼り付け指示を行ったキー画像（図１３の例では、検査画像７０７の画像Ｂ）を重ね合わせて、ビット単位で同じか違うかという判定を行っていく。全てのビット列の結果から、同じビット数が多かったサンプル画像１３００の部位をキー画像の部位として決定する。
【０１８９】
サンプル画像１３００がＣＴ等で撮影された画像である場合、サンプル画像１３００は、通常１００以上の枚数となるが、その場合、サンプル画像１３００の最初の１枚とＳ１１０７において読影医が貼り付け指示を行ったキー画像とを比較し、部位が一致するかを判定する。
【０１９０】
そして、部位が一致すると判定された場合には、一致した部位のサンプル画像１３００の他のサンプル画像ともＳ１１０７において読影医が貼り付け指示を行ったキー画像を比較して、部位が一致するかを判定することで、より精度良く、Ｓ１１０７において読影医が貼り付け指示を行ったキー画像の部位を特定することが可能となる。
以上で、図１３の説明を終了する。
【０１９１】
以上、本発明によると、予め検査情報に紐づけた警告ワードを登録しておき、レポート確定操作時に所見や診断結果に、患者の検査情報に対応する警告ワードが含まれている際に、読影医に通知されるような仕組みとすることで、ある検査の医用画像に対する読影結果を入力している際に、他の検査の医用画像に対する読影結果を誤って入力することを防ぐことができる。
【０１９２】
また予め検査情報に紐づけて登録させておくワードは警告ワードの形態に限られず、予め検査情報に紐づけた必要ワードを登録しておき、レポート確定操作時に所見や診断結果に、患者の検査情報に対応する必要ワードが含まれていない場合に、読影医に通知するようにしてもよい。このように必ず使用されるような必要ワードが使われていることを確認することでも、ある検査の医用画像に対する読影結果を入力している際に、他の検査の医用画像に対する読影結果を誤って入力していることを、読影医に通知することができる。
【０１９３】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０１９４】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１９５】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１９６】
その場合、プログラムの機能を有していれば、オブジェクトコード、インタプリタにより実行されるプログラム、ＯＳに供給するスクリプトデータ等の形態であってもよい。
【０１９７】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１９８】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１９９】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０２００】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０２０１】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０２０２】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０２０３】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０２０４】
１０２  ポータルサーバ
１０３  レポートサーバ
１０８  データベース
３０１  ＰＣ
【図１】
2016194898.tif 000003
【図２】
2016194898.tif 000004
【図３】
2016194898.tif 000005
【図４】
2016194898.tif 000006
【図５】
2016194898.tif 000007
【図６】
2016194898.tif 000008
【図７】
2016194898.tif 000009
【図８】
2016194898.tif 000010
【図９】
2016194898.tif 000011
【図１０】
2016194898.tif 000012
【図１１】
2016194898.tif 000013
【図１２】
2016194898.tif 000014
【図１３】
2016194898.tif 000015
【図１４】
2016194898.tif 000016